(57)【特許請求の範囲】
【請求項１】
建物躯体の壁面と該壁面に張り付ける壁材との間に介在される野縁を前記壁面に取り付けるための野縁取付金具であって、前記野縁に当接する基板部と、該基板部に一体突設されて前記野縁に係合する係合部と、前記基板部に一体突設されて前記壁面に向かって延びる支持脚部とを有し、前記壁面と野縁との間の間隔に合わせて前記支持脚部の所定位置を折曲するように構成してなる野縁取付金具。
【請求項２】
前記支持脚部の側面には、該支持脚部の先端から基端に向けて前記壁面と野縁との間の間隔を計測するための計測用目盛りが形成されると共に、その支持脚部の基端から先端に向けて前記計測用目盛りと等間隔の位置決め用目盛りが形成されてなる請求項１記載の野縁取付金具。
【請求項３】
前記支持脚部の側面には、前記目盛りに合わせて複数の折り目が該支持脚部の長手方向に沿って所定間隔をおいて刻設されてなる請求項２記載の野縁取付金具。
【請求項４】
前記支持脚部には、前記目盛りに合わせて複数の長孔が該支持脚部の長手方向に沿って所定間隔をおいて形成されてなる請求項２または３記載の野縁取付金具。
【請求項５】
前記基板部に補強用凹部が形成されてなる請求項１から４のいずれかに記載の野縁取付金具。
【請求項６】
前記支持脚部及び係合部が先端に向かって外広がり状に形成されてなる請求項１から５のいずれかに記載の野縁取付金具。
【発明の詳細な説明】
【０００１】
【発明の属する技術分野】
本発明は、建物躯体の壁面と該壁面に張り付ける壁材との間に介在される野縁を前記壁面に取り付けるための野縁取付金具に関する。
【０００２】
【従来の技術】
図１０（ａ）及び（ｂ）に示すように、建物躯体１の壁面１ａに壁材２を張り付ける場合には、前記壁面１ａに野縁取付金具３を介して複数の野縁４を所定間隔をおいて配列すると共に、該各野縁４の上下端部に嵌合させたライナー５を建物躯体１の上下面１ｂ，１ｃに当接させ、前記各野縁４に壁材２を止着することが行われる。
【０００３】
従来、前記野縁取付金具３は、野縁４に係合する金具本体６と、該金具本体６から壁面１ａに向かって延びるねじ軸７と、該ねじ軸７に螺合して壁面１ａに当接するナット８とからなり、該ナット８を出退させて野縁取付金具３の高さを調整することにより、壁面１ａに段差αがあっても、その段差αを吸収して各野縁４を面一状に配列することができる。
【０００４】
【発明が解決しようとする課題】
上記従来の構成では、野縁取付金具３が金具本体６とねじ軸７とナット８とからなり、その部品点数が多くて製作費が高くつく。
【０００５】
本発明は、上記欠点に鑑み、部品点数が少なくて製作費が安くつく野縁取付金具を提供することを目的としている。
【０００６】
【課題を解決するための手段】
上記目的を達成するための本発明の構成を実施の形態に対応する図面に基づいて説明すると、請求項１記載の発明は、建物躯体１の壁面１ａと該壁面１ａに張り付ける壁材２との間に介在される野縁４を前記壁面１ａに取り付けるための野縁取付金具３であって、前記野縁４に当接する基板部１０と、該基板部１０に一体突設されて前記野縁４に係合する係合部１１と、前記基板部１０に一体突設されて前記壁面１ａに向かって延びる支持脚部１２とを有し、前記壁面１ａと野縁４との間の間隔Ｌ１に合わせて前記支持脚部１２の所定位置ロを折曲するように構成している。
【０００７】
上記構成において、建物躯体１の壁面１ａに壁材２を張り付ける場合には、前記壁面１ａとその壁面１ａに取り付ける野縁４との間の間隔Ｌ１に合わせて野縁取付金具３の支持脚部１２の所定位置ロを折曲して、その支持脚部１２の突出長さＬ２を調節した後、該野縁取付金具３の係合部１１を野縁４に係合させ、次に、その野縁取付金具３の支持脚部１２を壁面１ａに固定することにより、複数の野縁４を壁面１ａから所定間隔離れた位置に配列し、該各野縁４に壁材２を止着すればよい。
【０００８】
この場合、野縁取付金具３の支持脚部１２の所定位置ロを折曲して、その支持脚部１２の突出長さＬ２を調節するだけで、壁面１ａに段差αがあっても、その段差αを吸収して各野縁４を面一状に配列することができ、また、野縁取付金具３を１枚の金属板により形成することができ、その部品点数が少ないから、製作費が安くつく。
【０００９】
請求項２記載の発明は、請求項１記載の発明において、前記支持脚部１２の側面には、該支持脚部１２の先端１２ａから基端１２ｂに向けて前記壁面１ａと野縁４との間の間隔Ｌ１を計測するための計測用目盛り１３が形成されると共に、その支持脚部１２の基端１２ｂから先端１２ａに向けて前記計測用目盛り１３と等間隔の位置決め用目盛り１４が形成されている。
【００１０】
上記構成によれば、支持脚部１２の先端１２ａを壁面１ａに当接させることにより、計測用目盛り１３により壁面１ａと野縁４との間の間隔Ｌ１を簡単に計測することができ、その計測値に基づいて位置決め用目盛り１４により支持脚部１２の折曲位置ロを簡単に割り出すことができる。
【００１１】
請求項３記載の発明は、請求項２記載の発明において、前記支持脚部１２の側面には、前記目盛り１３，１４に合わせて複数の折り目１５が該支持脚部１２の長手方向に沿って所定間隔をおいて刻設されている。
【００１２】
上記構成によれば、支持脚部１２の所定位置ロを折り目１５に沿って簡単に折曲することができる。
【００１３】
請求項４記載の発明は、請求項２または３記載の発明において、前記支持脚部１２には、前記目盛り１３，１４に合わせて複数の長孔１６が該支持脚部１２の長手方向に沿って所定間隔をおいて形成されている。
【００１４】
上記構成によれば、支持脚部１２の折曲しようとする部分の断面積が長孔１６によって小さくなっているので、その部分を簡単に折曲することができると共に、前記長孔１６を通して壁面１ａにビス１７止めや釘打ちなどを行ってその壁面１ａに支持脚部１２を容易に固定することができる。
【００１５】
請求項５記載の発明は、請求項１から４のいずれかに記載の発明において、前記基板部１０に補強用凹部１０ａが形成されている。
【００１６】
上記構成によれば、基板部１０が補強用凹部１０ａにより変形しないように補強されているので、野縁４を確実に支持することができる。
【００１７】
請求項６記載の発明は、請求項１から５のいずれかに記載の発明において、前記支持脚部１２及び係合部１１が先端に向かって外広がり状に形成されている。
【００１８】
上記構成によれば、複数の野縁取付金具３の外広がり状に形成した支持脚部１２どうし及び係合部１１どうしを互いに当接させて、その複数の野縁取付金具３を嵩張らないように重ね合わせて運搬することができ、運搬費を安くすることができる。
【００１９】
【発明の実施の形態】
以下、本発明の実施の形態を図面に基づいて説明する。図９（ａ）及び（ｂ）は本発明の実施の一形態である野縁取付金具３により野縁４を介して壁材２を壁面１ａに張り付けた状態を示すものであって、野縁取付金具３以外の部分は図１０（ａ）及び（ｂ）に示す従来例とほぼ同じであるから、同一部分に同一符号を付してその説明を省略する。
【００２０】
前記野縁４は、図１に示すように、横断面略コ字状であって、その両側端部を内側に折り曲げて被係合部４ａが形成されており、幅Ｈが広いダブルバーと称されるものと、幅ｈがダブルバーの２分の１のシングルバー（図８参照）と称されるものとがある。
【００２１】
前記野縁取付金具３は、金属板からなり、図１〜図４に示すように、基板部１０と、該基板部１０の上下両縁にそれぞれ２片ずつ一体突設された合計４片の係合部１１と、基板部１０の左右両側縁にそれぞれ２本ずつ係合部１１とは逆方向に一体突設された合計４本の支持脚部１２とを有している。
【００２２】
前記基板部１０は、ダブルバーと称される野縁４の幅Ｈとほぼ同幅の矩形状に形成されており（図１及び図４参照）、野縁４の両被係合部４ａに当接されるようになっている。
【００２３】
前記基板部１０には、図１及び図４に示すように、補強用凹部１０ａが環状に形成されており、該基板部１０を変形しないように補強して野縁４を確実に支持することができる。
【００２４】
前記係合部１１は、その先端両側部に側方に突出する突起部１１ａを有し、該突起部１１ａの下縁を野縁４の被係合部４ａに係合させることにより、その野縁４に野縁取付金具３を取り付けることができる。
【００２５】
前記支持脚部１２は、その先端部を略直角に折曲することにより形成した受支部１２Ａを介して壁面１ａに当接されるようになっており、また、その側面には、図４に示すように、該支持脚部１２の先端１２ａから基端１２ｂに向けて計測用目盛り１３が形成されると共に、その支持脚部１２の基端１２ｂから先端１２ａに向けて計測用目盛り１３と等間隔の位置決め用目盛り１４が形成されている。なお、この実施の形態では、両目盛り１３，１４の後半部分が互いに重複されている。
【００２６】
図２の拡大図に示すように、前記支持脚部１２の側縁部に、目盛り１３，１４に合わせて複数の折り目１５が該支持脚部１２の長手方向に沿って所定間隔をおいて刻設されると共に、支持脚部１２の中央部に、目盛り１３，１４に合わせて複数の長孔１６が該支持脚部１２の長手方向に沿って所定間隔をおいて形成されている。
【００２７】
上記構成によれば、支持脚部１２の所定位置を折り目１５に沿って簡単に折曲することができると共に、支持脚部１２の折曲しようとする部分の断面積が長孔１６によって小さくなっているので、その部分を簡単に折曲することができ、しかも、長孔１６を通して壁面１ａにビス止めや釘打ちなどを行ってその壁面１ａに支持脚部１２を容易に固定することができる。
【００２８】
上記構成において、建物躯体１の壁面１ａに壁材２を張り付ける場合には、図５に示すように、各支持脚部１２の先端１２ａを壁面１ａに当接させることにより、壁面１ａと該壁面１ａに予め取り付けられている野縁４との間の間隔Ｌ１を計測用目盛り１３により計測し、その計測値（図５のイで示す「７」）に基づいて位置決め用目盛り１４により各支持脚部１２の折曲位置（図５のロで示す「７」）を決定し、その折曲位置ロを工具で折曲して、その各支持脚部１２の突出長さＬ２を調節した後、該野縁取付金具３の係合部１１を野縁４に係合させ、次に、図１〜図３に示すように、各支持脚部１２の折曲位置ロよりも先端側をビス１７（または釘打ち、接着剤による接着など）により壁面１ａに固定することにより、その野縁取付金具３を介して複数の野縁４を壁面１ａから所定間隔離れた位置に配列し、該各野縁４に壁材２を止着すればよい。
【００２９】
この場合、支持脚部１２の突出長さＬ２を調節するだけで、壁面１ａに段差αがあっても、その段差αを吸収して各野縁４を面一状に配列することができ、また、野縁取付金具３を１枚の金属板により形成することができ、その部品点数が少ないから、製作費が安くつく。
【００３０】
更に、支持脚部１２の先端１２ａを壁面１ａに当接させることにより、計測用目盛り１３により壁面１ａと野縁４との間の間隔Ｌ１を簡単に計測することができると共に、その計測値に基づいて位置決め用目盛り１４により支持脚部１２の折曲位置ロを簡単に割り出すことができる。
【００３１】
図１及び図５に示すように、支持脚部１２及び係合部１１が先端に向かって所定角度β（この実施の形態では１５°）外広がり状に形成されているから、図６に示すように、支持脚部１２どうし及び係合部１１どうしを互いに当接させて、その複数の野縁取付金具３を嵩張らないように重ね合わせて運搬することができ、運搬費を安くすることができる。
【００３２】
上記実施の形態では、支持脚部１２を基板部１０の両側縁にそれぞれ２本ずつ一体突設したが、これに限定されるわけではなく、図７に示すように、支持脚部１２を基板部１０の両側縁にそれぞれ１本ずつ一体突設してもよい。
【００３３】
また、両目盛り１３，１４の後半部分を重複させたが、図７に示すように、その両目盛り１３，１４を互いに独立させてもよい。
【００３４】
上記説明では、ダブルバー及びシングルバーの両野縁４を取り付けることができる兼用タイプの野縁取付金具３を示したが、これに限定されるわけではなく、図８に示すように、シングルバーの野縁４だけを取り付けることができる野縁取付金具３にも適用することができる。
【００３５】
【発明の効果】
請求項１記載の発明によれば、野縁取付金具の支持脚部の所定位置を折曲して、その支持脚部の突出長さを調節するだけで、壁面に段差があっても、その段差を吸収して各野縁を面一状に配列することができ、また、野縁取付金具を１枚の金属板により形成することができ、その部品点数が少ないから、製作費が安くつく。
【００３６】
請求項２記載の発明によれば、支持脚部の先端を壁面に当接させることにより、計測用目盛りにより壁面と野縁との間の間隔を簡単に計測することができ、その計測値に基づいて位置決め用目盛りにより支持脚部の折曲位置を簡単に割り出すことができる。
【００３７】
請求項３記載の発明によれば、支持脚部の所定位置を折り目に沿って簡単に折曲することができる。
【００３８】
請求項４記載の発明によれば、支持脚部の折曲しようとする部分の断面積が長孔によって小さくなっているので、その部分を簡単に折曲することができると共に、前記長孔を通して壁面にビス止めや釘打ちなどを行ってその壁面に支持脚部１２を容易に固定することができる。
【００３９】
請求項５記載の発明によれば、基板部が補強用凹部により変形しないように補強されているので、野縁を確実に支持することができる。
【００４０】
請求項６記載の発明によれば、複数の野縁取付金具の外広がり状に形成した支持脚部どうし及び係合部どうしを互いに当接させて、その複数の野縁取付金具を嵩張らないように重ね合わせて運搬することができ、運搬費を安くすることができる。
【図面の簡単な説明】
【図１】本発明の実施の一形態である野縁取付金具により野縁を壁面に固定した状態を示す横断平面図である。
【図２】同正面図である。
【図３】同一部切り欠き側面図である。
【図４】同分解斜視図である。
【図５】同支持脚部の折曲位置を決定する手順を示す側面図である。
【図６】同複数の野縁取付金具を重ね合わせた状態を示す説明図である。
【図７】野縁取付金具の一変形例を示す側面図である。
【図８】野縁取付金具の他の変形例を示す横断面図である。
【図９】野縁取付金具により野縁を介して壁材を壁面に張り付けた状態を示す平面図と側面図である。
【図１０】従来例を示す平面図と側面図である。
【符号の説明】
１      建物躯体
１ａ    建物躯体の壁面
２      壁材
３      野縁取付金具
４      野縁
１０    基板部
１０ａ  補強用凹部
１１    係合部
１２    支持脚部
１２ａ  支持脚部の先端
１２ｂ  支持脚部の基端
１３    計測用目盛り
１４    位置決め用目盛り
１５    折り目
１６    長孔
Ｌ１    壁面と野縁との間の間隔
【図１】
0003810176.tif 000002
【図２】
0003810176.tif 000003
【図３】
0003810176.tif 000004
【図４】
0003810176.tif 000005
【図５】
0003810176.tif 000006
【図６】
0003810176.tif 000007
【図７】
0003810176.tif 000008
【図８】
0003810176.tif 000009
【図９】
0003810176.tif 000010
【図１０】
0003810176.tif 000011